(57)【特許請求の範囲】
【請求項１】
水道水等の原水が流れる原水供給通路に、ポンプにて圧送される濃塩水が流れる塩水供給通路を連通接続して、原水に濃塩水が混入するようにした塩水混入装置において、前記塩水供給通路の原水供給通路側端部を先細形状にするとともに、前記濃塩水の前記原水への注入角度が４５度未満となるようにしたことを特徴とする塩水混入装置。
【請求項２】
前記塩水供給通路の所定部位と前記原水供給通路の所定部位とをパイロット通路にて連通接続したことを特徴とする請求項１記載の塩水混入装置。
【請求項３】
前記パイロット通路に前記原水供給通路から前記塩水供給通路への流通を許容し前記塩水供給通路から前記原水供給通路への流通を阻止する逆止弁を設けたことを特徴とする請求項２記載の塩水混入装置。
【請求項４】
水道水等の原水が流れる原水供給通路に、ポンプにて圧送される濃塩水が流れる塩水供給通路を連通接続して、原水に濃塩水が混入するようにした塩水混入装置において、前記塩水供給通路に濃塩水を所定量貯える貯留室を設け、この貯留室と前記原水供給通路とを複数の混入通路にて連通接続させたことを特徴とする塩水混入装置。
【請求項５】
前記各混入通路が前記原水供給通路に対して鋭角で連通接続するようにしたことを特徴とする請求項４記載の塩水混入装置。
【請求項６】
前記原水供給通路の前記塩水供給通路との直接的な連通接続部位より上流部位に絞り手段を設けたことを特徴とする請求項１，２，３，４または５記載の塩水混入装置。
【発明の詳細な説明】
【０００１】
【発明の属する技術分野】
本発明は、水道水等の原水にポンプにて圧送される濃塩水が混入するようにした塩水混入装置に関する。
【０００２】
【従来の技術】
この種の塩水混入装置の一つとして、水道水等の原水が流れる原水供給通路に、ポンプにて圧送される濃塩水が流れる塩水供給通路を連通接続して、原水に濃塩水が混入するようにしたものがあり、例えば特開平１０−４６６号公報に示されている。
【０００３】
【発明が解決しようとする課題】
上記した公報に示されている塩水混入装置においては、原水供給通路に塩水供給通路が略直交するようにして連通接続されている。このため、原水供給通路に圧力脈動が生じると、これが塩水供給通路の原水供給通路側端部にダイレクトに作用して、塩水が原水に的確に注入されないことがあり、均一な希塩水を定常的に生成することができないことがある。
【０００４】
【課題を解決するための手段】
本発明は、上記した問題に対処すべくなされたものであり、水道水等の原水が流れる原水供給通路に、ポンプにて圧送される濃塩水が流れる塩水供給通路を連通接続して、原水に濃塩水が混入するようにした塩水混入装置において、前記塩水供給通路の原水供給通路側端部を先細形状にするとともに、前記濃塩水の前記原水への注入角度が４５度未満となるようにしたことに特徴がある。この場合において、前記塩水供給通路の所定部位と前記原水供給通路の所定部位とをパイロット通路にて連通接続すること、前記パイロット通路に前記原水供給通路から前記塩水供給通路への流通を許容し前記塩水供給通路から前記原水供給通路への流通を阻止する逆止弁を設けること、前記原水供給通路の前記塩水供給通路との連通接続部位より上流部位に絞り手段を設けることも可能である。
【０００５】
また、水道水等の原水が流れる原水供給通路に、ポンプにて圧送される濃塩水が流れる塩水供給通路を連通接続して、原水に濃塩水が混入するようにした塩水混入装置において、前記塩水供給通路に濃塩水を所定量貯える貯留室を設け、この貯留室と前記原水供給通路とを複数の混入供給通路にて連通接続させたことに特徴がある。この場合において、前記各混入供給通路が前記原水供給通路に対して鋭角で連通接続するようにすること、前記原水供給通路の前記塩水供給通路との連通接続部位より上流部位に絞り手段を設けることも可能である。
【０００６】
【発明の作用・効果】
本発明（請求項１に係る発明）においては、塩水供給通路の原水供給通路側端部を先細形状にするとともに、濃塩水の原水への注入角度が４５度未満となるようにしたため、原水供給通路にて原水の圧力脈動が生じても、この圧力脈動が塩水供給通路に作用することが抑制されて、塩水供給通路内の濃塩水が原水供給通路内の原水に的確に混入し、従来に比して均一な希塩水を定常的に生成することができる。
【０００７】
この場合において、塩水供給通路の所定部位と原水供給通路の所定部位とをパイロット通路にて連通接続した場合（請求項２に係る発明の場合）には、パイロット通路を通して圧力をバランスさせることが可能であり、原水供給通路にて原水の圧力脈動が生じても、濃塩水と原水の圧力差を常に安定させることができて、原水の圧力脈動が大きい場合にも濃塩水が原水に安定して注入され、従来に比して均一な希塩水を定常的に生成することができる。
【０００８】
また、前記パイロット通路に原水供給通路から塩水供給通路への流通を許容し塩水供給通路から原水供給通路への流通を阻止する逆止弁を設けた場合（請求項３に係る発明の場合）には、塩水供給通路からパイロット通路を通して原水供給通路に濃塩水が注入されることを規制できて、原水の圧力脈動が大きい場合にも所望の希塩水を安定して生成することができる。
【０００９】
また、本発明（請求項４に係る発明）においては、塩水供給通路に濃塩水を所定量貯える貯留室を設け、この貯留室と原水供給通路とを複数の混入通路にて連通接続させたため、濃塩水と原水を複数箇所にて混合することができて、濃塩水の原水への希釈効率を高めることができる。
【００１０】
この場合において、前記各混入通路が原水供給通路に対して鋭角で連通接続するようにした場合（請求項５に係る発明の場合）には、濃塩水の原水への希釈効率を高めた上で、原水の圧力脈動に対しても濃塩水が原水に的確に混入して、従来に比して均一な希塩水を定常的に生成することができる。
【００１１】
また、上記各構成において、原水供給通路の塩水供給通路との直接的な連通接続部位より上流部位に絞り手段を設けた場合（請求項６に係る発明の場合）には、絞り手段によって原水の水流の片寄りを解消して、原水供給通路内の原水の流れを整えることができるため、濃塩水が原水に対して略均一に混合して原水によって従来に比して均一に希釈されるようにすることができる。
【００１２】
【発明の実施の形態】
以下に、本発明の各実施形態を図面に基づいて説明する。図１及び図２は本発明の第１実施形態を概略的に示していて、図１に示した電解水生成装置は、電解槽１０と、この電解槽１０に接続した電解水の排出通路２１，２２及び希塩水の供給通路２３と、この希塩水の供給通路２３に塩水混入装置３０を介して接続した水道水等原水の供給通路２４及び濃塩水の供給通路２５を備えている。電解槽１０は、希塩水を電気分解して電解水を生成するそれ自体周知のものであり、槽本体１１の内部は隔膜１２によって二つの電解室１３，１４に区画されていて、各電解室１３，１４には電解電源（図示省略）に接続された電極板１５，１６がそれぞれ配設されている。
【００１３】
電解水の排出通路２１，２２は、各電解室１３，１４にそれぞれ連通接続されていて、各電解室１３，１４にて生成される電解水（酸性水とアルカリ性水）をそれぞれ所望の箇所に導くようになっている。希塩水の供給通路２３は、電解槽１０側が分岐供給通路２３ａと２３ｂに分岐されていて、各分岐供給通路２３ａ，２３ｂにて各電解室１３，１４にそれぞれ連通接続されている。水道水等原水の供給通路２４は、水道管（図示省略）に接続されるようになっていて、給水弁（常閉型の電磁開閉弁）４１が設けられている。なお、給水弁４１の下流に減圧弁と流量調整弁（共に図示省略）が設けられることもある。
【００１４】
濃塩水の供給通路２５は、濃塩水タンク５０に接続されていて、ポンプ６１とポンプ側への流れを阻止するチェック弁６２が設けられている。ポンプ６１は、電動モータによって駆動されて供給通路２４を通して供給される水道水等原水に濃塩水を圧送混入するための定量ポンプ（駆動時の単位時間当たりの吐出量が一定であるポンプ）であり、希塩水の供給通路２３内の希塩水濃度（図示省略の濃度センサによって検出される）に応じて制御装置（図示省略）によって駆動を制御されるようになっている。なお、濃塩水タンク５０には食塩５１と水道水（適宜補給されて余剰分はオーバーフロー管５３を通して排出される）５２が収容されていて、食塩５１の上方にできる濃塩水（飽和食塩水）が濃塩水の供給通路２５に導かれるようになっている。
【００１５】
塩水混入装置３０は、水道水等原水に濃塩水を混入するためのものであり、図１及び図２に示したように、水道水等原水の供給通路２４と希塩水の供給通路２３に連通接続された混合通路３１と、濃塩水の供給通路２５に連通接続されて濃塩水を所定量貯える貯留室３２と、貯留室３２内の濃塩水を混合通路３１内の原水に導くための塩水混入通路３３を備えている。塩水混入通路３３は、先細形状とされるとともに、混合通路３１に対して所定量傾斜して設けられていて、濃塩水の原水への注入角度が４５度未満となるようにしてある。
【００１６】
上記のように構成した本実施形態の電解水生成装置においては、給水弁４１を開くとともにポンプ６１を制御装置（図示省略）の制御下にて駆動させ、また電解槽１０の電極板１５，１６に電解電源から通電すれば、供給通路２４を通して供給される水道水等原水に供給通路２５を通して供給される濃塩水がポンプ６１にて圧送されて塩水混入装置３０にて混合されて供給通路２３に所定濃度の希塩水が流れ、この希塩水が供給通路２３の分岐供給通路２３ａ，２３ｂを通して電解槽１０に供給されて同電解槽１０にて電気分解され、この電気分解によって生成された各電解水が各排出通路２１，２２を通して所望の箇所に導かれる。
【００１７】
ところで、本実施形態においては、塩水混入装置３０における塩水混入通路３３の先端部、すなわち塩水供給通路の原水供給通路側端部が先細形状とされるとともに、濃塩水の原水への注入角度が４５度未満となるようにしたため、原水の供給通路２４（混合通路３１の塩水混入通路３３との連通接続部位より上流側を含む）にて原水の圧力脈動が生じても、この圧力脈動が塩水混入通路３３を含む塩水供給通路に作用することが抑制されて、塩水混入通路３３内の濃塩水が混合通路３１内の原水に的確に混入し、略均一な希塩水を定常的に生成することができる。
【００１８】
図３は本発明の第２実施形態を示していて、この実施形態においては、塩水供給通路の一部である貯留室３２の所定部位と原水供給通路の一部である混合通路３１の所定部位とをパイロット通路３４にて連通接続した構成を除いて上記第１実施形態と実質的に同じ構成である。このため、パイロット通路３４を通して圧力をバランスさせることが可能であり、原水の供給通路２４にて原水の圧力脈動が生じても、濃塩水と原水の圧力差を常に安定させることができて、原水の圧力脈動が大きい場合にも濃塩水が原水に安定して注入され、略均一な希塩水を定常的に生成することができる。
【００１９】
図４は本発明の第３実施形態を示していて、この実施形態においては、パイロット通路３４に原水の供給通路から塩水の供給通路への流通を許容し塩水の供給通路から原水の供給通路への流通を阻止する逆止弁３５を設けた構成を除いて上記第２実施形態と実質的に同じ構成である。このため、塩水供給通路の一部である貯留室３２からパイロット通路３４を通して原水供給通路の一部である混合通路３１に濃塩水が注入されることを規制できて、原水の圧力脈動が大きい場合にも所望の希塩水を安定して生成することができる。
【００２０】
図５は本発明の第４実施形態を示していて、この実施形態においては、濃塩水を所定量貯える貯留室３２が略平行四辺形とされるとともに、この貯留室３２と原水供給通路の一部でもある混合通路３１とを複数の塩水混入通路３３にて連通接続させた構成を除いて上記第１実施形態と実質的に同じ構成である。このため、濃塩水と原水を複数箇所にて混合することができて、濃塩水の原水への希釈効率を高めることができる。また、この実施形態においては、各塩水混入通路３３が混合通路３１に対して鋭角で連通接続するようにしてあるため、濃塩水の原水への希釈効率を高めた上で、原水の圧力脈動に対しても濃塩水が原水に的確に混入して、略均一な希塩水を定常的に生成することができる。
【００２１】
図６は本発明の第５実施形態を示していて、この実施形態においては、混合通路３１の塩水混入通路３３との連通接続部位より上流部位に絞り手段３６を設けた構成を除いて上記第２実施形態と実質的に同じ構成である。このため、絞り手段３６によって原水の水流の片寄りを解消して、混合通路３１での原水の流れを整えることができるため、濃塩水が原水に対して略均一に混合して原水によって略均一に希釈される。なお、上記絞り手段３６は上記第１実施形態〜第４実施形態にも同様に実施し得るものである。
【図面の簡単な説明】
【図１】  本発明による塩水混入装置を備えた電解水生成装置の一実施形態を概略的に示した図である。
【図２】  図１に示した塩水混入装置の第１実施形態を示す概略構成図である。
【図３】  図１に示した塩水混入装置の第２実施形態を示す概略構成図である。
【図４】  図１に示した塩水混入装置の第３実施形態を示す概略構成図である。
【図５】  図１に示した塩水混入装置の第４実施形態を示す概略構成図である。
【図６】  図１に示した塩水混入装置の第５実施形態を示す概略構成図である。
【符号の説明】
２３…希塩水の供給通路、２４…水道水等原水の供給通路、２５…濃塩水の供給通路、３０…塩水混入装置、３１…混合通路、３２…貯留室、３３…塩水混入通路、３４…パイロット通路、３５…逆止弁、３６…絞り手段、６１…ポンプ。
【図１】
0004011728.tif 000002
【図２】
0004011728.tif 000003
【図３】
0004011728.tif 000004
【図４】
0004011728.tif 000005
【図５】
0004011728.tif 000006
【図６】
0004011728.tif 000007